(57)【要約】【課題】シンプルな構成で容易に作製でき、既設のスタンチョンに取付容易なスタンチョン自動解除装置を提供する。電池を動力源とすることにより、電線が架設されていない場所でも利用可能で、家畜の感電事故を防止できる前記スタンチョン自動解除装置を提供する。【解決手段】係止梁２２の周面に突設されたアーム２を回転付勢すると共に、上梁２１に立設された支持部材１に揺動可能に軸設された係止部材４をアーム２と同じ向きに回転付勢し、軸受３に係止部材４を係止する。制御ボックス１０に内設した電動機の回転軸にブレードを周設し、該ブレードが制御ボックス１０に挿入されたレバー６の先端を押圧して、軸受３と係止部材４の係止を解く構成とした。タイムスイッチ１１で設定した時間が経過すると、前記電動機が始動し、軸受３と係止部材４の係止が解け、係止梁２２が回転しセルフロックスタンチョン２０が解除される。【選択図】図１
0003148926.tif 000002
【実用新案登録請求の範囲】
【請求項１】
セルフロックスタンチョンの係止梁の周面に突設され係止梁の周方向に回転付勢されたアーム，アームに立設され係止梁に略平行な回動軸に、回動自在に軸止された軸受，セルフロックスタンチョンの上梁に立設された支持部材，支持部材に揺動可能に軸設されアームと同じ向きに回転付勢された、付勢側端部に軸受を係止可能な係止凹部を有する係止部材，係止部材の揺動中心とは逆の端部から延出されたレバー，タイムスイッチで設定された時間が経過すると始動する電動機，及び該電動機の回転軸に周設され、係止部材の付勢とは逆の向きにレバーを押圧可能なブレードを具えてなることを特徴とするスタンチョン自動解除装置。
【請求項２】
ブレードで押圧されることにより、電動機を停止するリミットスイッチが設けられてなることを特徴とする請求項１に記載のスタンチョン自動解除装置。
【請求項３】
アームとセルフロックスタンチョンの梁との間に張設され、アームを回転付勢する引張りばねが設けられてなることを特徴とする請求項１又は請求項２に記載のスタンチョン自動解除装置。
【請求項４】
係止凹部の、揺動中心とは逆の端部に、揺動中心側への突出長さを調整可能で軸受の脱落を防止する係止突起が設けられてなることを特徴とする請求項１乃至請求項３の何れか１項に記載のスタンチョン自動解除装置。
【請求項５】
電動機の動力源が電池であることを特徴とする請求項１乃至請求項４の何れか１項に記載のスタンチョン自動解除装置。
【考案の詳細な説明】
【技術分野】
【０００１】
本考案は、スタンチョン自動解除装置に関する。
【背景技術】
【０００２】
スタンチョンは、ウシ，ウマ，ブタ等の家畜の頭部が抜けない程度に頸部付近の幅を狭めて前記家畜を係留する装置であり、今日では、家畜が頭部を下げる動作を利用して自動的にロックされるセルフロックスタンチョンが主流である（例えば、特許文献１参照）。家畜を係留する作業の省力化が図れることから、セルフロックスタンチョンは、給餌，削蹄，畜舎の除糞，治療，診断，人工授精等の各種作業の際に、家畜を係留する目的で頻用されていて、特にウシの係留に用いられることが多い。
【０００３】
複数のセルフロックスタンチョンが係止梁を共有して左右連設されたものは、連動スタンチョンと呼ばれ、畜産業において頻用されている。連動スタンチョンによれば、複数の家畜を係留し又は解放することが容易に行え、上述の各種作業を更に効率化できる。特に、同一箇所で飼育される家畜の給餌に用いられることが多く、その場合、餌を取り合うことによる家畜の怪我を防ぐと共に、均等な給餌によって偏り無く家畜を成長させることができるから、畜産物の品質の向上及び維持に有用である。連動スタンチョンは、幅が広く係留可能な家畜の頭数が多いほど、作業効率化の度合いが大きいから、幅が３０ｍ以上にも及ぶ幅広い連動スタンチョンを用いる例もある。
【０００４】
セルフロックスタンチョン及び連動スタンチョンは、叙上の通り、作業の効率化及び省力化、並びに畜産物の品質の向上及び維持に有用な装置であるものの、係止梁を回動させる操作の効率化は充分ではない。係止梁を回動するためのハンドルを多数設けると、該ハンドルで家畜が怪我をする危険性が増すため、一般的には、係止梁の軸方向の一端にハンドルを設け、該ハンドルを把持して係止梁を回動させる。ハンドルの操作のためだけにセルフロックスタンチョンの前記一端に作業者が移動する必要があり、その手間は、特に連動スタンチョンにおいて顕著である。
【０００５】
スタンチョンの係止梁を電動回転させることにより、係止梁をロック角度に止め、又はスタンチョンを解除することができるスタンチョン駆動・制御装置が開示されている（例えば、特許文献２参照）。特許文献２には、更に、タイマーをセットすることにより、自動でスタンチョンが解除される、前記スタンチョン駆動・制御装置が開示されている。
【０００６】
【特許文献１】特公昭５２−４６８６９号公報
【特許文献２】特許第３６９７２０７号公報
【考案の開示】
【考案が解決しようとする課題】
【０００７】
しかしながら、上記特許文献２に記載のスタンチョン駆動・制御装置は、変速器・減速器付き正逆回転可能なモーターを初めとする多種の機器や部材を有する複雑な構成であり、容易に作製できない。
【０００８】
モーターに連動して係止梁が正回転及び逆回転の何れの向きにも回転できる様にするために、係止梁がスタンチョン駆動・制御装置を貫通し、当該貫通部分がスタンチョン駆動・制御装置に強固に結合される必要がある。したがって、既設のセルフロックスタンチョンに取り付けることは困難である。
【０００９】
また、上記特許文献２には、スタンチョン駆動・制御装置を電池で駆動することについては、何ら開示されていない。既存のスタンチョン駆動・制御装置は、何れも交流電流を動力源としていて、当該スタンチョン駆動・制御装置のための電気配線が必要である。電線が架設されていない畜舎内や広大な酪農場等で使用するためには、大規模な電気配線工事が必要で、現実的には設置不可能な場合もあった。
【００１０】
スタンチョン駆動・制御装置を設置したとしても、家畜が電気配線を噛んでしまい感電事故を起こし、家畜の死傷によって畜産物の品質が低下し又は生産量が低下する虞がある。感電事故によって畜舎内機器への通電が止まると、当該機器を損傷する虞がある。更に、感電事故によって換気扇や空調機が停止すると、畜舎内温度の過度な上昇，病原体の繁殖等のために、家畜に甚大な健康被害を及ぼす虞もある。
【００１１】
交流電流を動力源として用いることには上記の様な問題点があり、電池駆動の装置に対する要望はあるものの、現在まで達成されていない。
【００１２】
上記問題点に鑑み、本考案は、シンプルな構成で容易に作製でき、既設のセルフロックスタンチョンに取付容易な、スタンチョン自動解除装置を提供することを課題とする。また、電池を動力源とする、前記スタンチョン自動解除装置を提供することを課題とする。
【課題を解決するための手段】
【００１３】
上記課題を解決する本考案は、セルフロックスタンチョンの係止梁の周面に突設され係止梁の周方向に回転付勢されたアーム，アームに立設され係止梁に略平行な回動軸に、回動自在に軸止された軸受，セルフロックスタンチョンの上梁に立設された支持部材，支持部材に揺動可能に軸設されアームと同じ向きに回転付勢された、付勢側端部に軸受を係止可能な係止凹部を有する係止部材，係止部材の揺動中心とは逆の端部から延出されたレバー，タイムスイッチで設定された時間が経過すると始動する電動機，及び該電動機の回転軸に周設され、係止部材の付勢とは逆の向きにレバーを押圧可能なブレードを具えてなることを特徴とするスタンチョン自動解除装置である。
【００１４】
軸受に係止部材を係止した状態で係止梁がロック角度を向く様に、本考案を、セルフロックスタンチョンに取り付ける。この状態では、係止梁の回転が阻まれていて、係止梁はロック角度に維持される。ブレードでレバーを押圧して前記係止を解くと、アームと同じ向きに回転付勢された係止梁が回転し、スタンチョンは解除される。
【００１５】
第２の考案は、第１の考案に係るスタンチョン自動解除装置であって、ブレードで押圧されることにより、電動機を停止するリミットスイッチが設けられてなる。
【００１６】
第３の考案は、第１又は第２の考案に係るスタンチョン自動解除装置であって、アームとセルフロックスタンチョンの梁との間に張設され、アームを回転付勢する引張りばねが設けられてなる
【００１７】
第４の考案は、係止凹部の、揺動中心とは逆の端部に、揺動中心側への突出長さを調整可能で軸受の脱落を防止する係止突起が設けられてなる上記第１乃至第３の考案の何れかに係るスタンチョン自動解除装置である。
【００１８】
第５の考案は、電動機の動力源が電池である上記第１乃至第４の考案の何れかに記載のスタンチョン自動解除装置である。
【考案の効果】
【００１９】
本考案によれば、係止部材を軸受に係止することによって、係止梁を中心とする軸受の回転運動が係止部材に阻まれるから、係止梁をロック角度に安定に止めることができる。一方、タイムスイッチで所望の時間を設定するのみで、セルフロックスタンチョンを自動的に解除できる。スタンチョンの解除のためだけに作業者が移動する手間を省くことができるから、冒述した各種作業の効率化が図られる。多数頭の家畜を係留可能な、幅広い連動スタンチョンに対して、特に顕著な省力化の効果を発揮する。
【００２０】
スタンチョンを解除するためには、僅かな力でレバーを押圧し、係止部材を付勢とは逆の向きに揺動させるのみで良い。レバーが揺動中心とは逆の端部から延出されていて、梃子の原理により、当該レバーを押圧する力が少なくて済むからである。また、係止部材と当接する部材は軸受のみであり、該軸受の回動のために、容易に係止を解くことができるからである。したがって、本考案を実施するためには、トルクの小さな小型の電動機を用いるのみで足り、消費電力を抑制できる。叙上の通り、本考案はシンプルな構成であり、作製容易である。
【００２１】
第２の考案によれば、セルフロックスタンチョンが解除された後、自動的に通電が止まり電動機が停止するから、消費電力を更に抑制できる。
【００２２】
第３の考案によれば、係止梁の外周を覆う様に取り付ける部材を要しないから、既設のセルフロックスタンチョンに、容易に取り付けることができる。
【００２３】
第４の考案によれば、係止突起の突出長さを調整することによって、軸受に対する係止部材の係止強さを調整できる。例えば、アームがばね付勢された本考案を長期間使用することによって、当該ばねの付勢力が減衰し係止部材で軸受を充分に係止できなくなった場合においても、係止突起の突出長さを調整して適切な係止位置及び適切な係止強さを得ることによって軸受の意図しない脱落を防ぎ、本考案の機能を継続して発揮することができる。
【００２４】
第５の考案によれば、スタンチョン自動解除装置のための配線工事が不要であり、交流電流が供給されていない畜舎や広大な酪農場等、前記配線工事が困難な場合においてもスタンチョン自動解除装置を用いることができる。また、家畜が配線を噛んでしまうことによる感電事故及び該感電事故による機器の損傷や家畜の健康被害等の二次的被害も回避できる。
【考案を実施するための最良の形態】
【００２５】
以下に、本考案を実施するための最良の形態を、図面を参照しつつ詳細に説明するが、本考案はこれに限定されるものではない。
【００２６】
図１は、本考案の実施形態を示す斜視図である。また、図２は、本考案の実施形態を示す背面図である。図３は、本考案をセルフロックスタンチョンに取り付けた状態を示す正面図である。
【００２７】
図４は、軸受を係止部材で係止した状態を示す要部側面図である。図５は、リミットスイッチの押圧が解かれて電動機が停止した状態を示す要部側面図である。図６は、ブレードがレバーを押圧している状態を示す要部側面図である。また、図７は、スタンチョンが解除された直後の状態を示す要部側面図である。図４乃至図７においては、理解を助けるために、制御ボックスの断面を示している。
【００２８】
図８は、本考案の実施形態に係る制御ボックスを開いた状態を示す正面図である。図８においては、簡便のために、制御ボックス内の配線を省略し主な部品のみを記載する。図９は、本考案の実施形態を示す回路図である。図１０は、本考案の別の実施形態を示す斜視図である。
【００２９】
本考案に係るスタンチョン自動解除装置は、図１乃至図１０に示される様に、セルフロックスタンチョン２０の係止梁２２の周面に突設され係止梁２２の周方向に回転付勢されたアーム２，アーム２に立設され係止梁２２に略平行な回動軸２ａに、回動自在に軸止された軸受３，セルフロックスタンチョン２０の上梁２１に立設された支持部材１，支持部材１に揺動可能に軸設されアーム２と同じ向きに回転付勢された、付勢側端部に軸受３を係止可能な係止凹部５を有する係止部材４，係止部材４の揺動中心４ａとは逆の端部から延出されたレバー６，タイムスイッチ１１で設定された時間が経過すると始動する電動機１２，及び該電動機１２の回転軸１２ａに周設され、係止部材４の付勢とは逆の向きにレバー６を押圧可能なブレード１３，…を具えてなる。
【００３０】
支持部材１は、係止部材４，制御ボックス１０等を支持する部材である。その主部は角パイプであり、該角パイプに鋼板を介してＨ形鋼のフランジを螺着し連結することにより、下端にＣチャンネル型の嵌合部１ｂが形成されている。嵌合部１ｂ上には、貫通孔１ｃが形成されている。支持部材１は、上梁２１に上方から嵌合部１ｂを外嵌し、嵌合部１ｂの脚部１ａ，１ａをボルトで螺合連結することによって、上梁２１に固定される。係止梁２２は、貫通孔１ｃに挿通され、その回転が阻害されない様にされている。支持部材１は、上梁２１に立設可能であれば良く、必ずしも上記形状に限定されない。また、支持部材１の材質は、剛性を有する材質であれば良く、金属が好適に用いられる。
【００３１】
一方の脚部１ａの外面には、上梁２１と略等しい高さ位置に、脚部１ａよりも幅広いストッパー７が螺着されていて、その一端は上梁２１に当接する様にして、アーム２側に突出している。セルフロックスタンチョン２０が解除された際に、ストッパー７がアーム２と接触することにより、係止梁２２の回転が止められる。ストッパー７は、ゴムの如き弾性を有する材質で作製されていて、前記接触の衝撃を和らげ、アーム２，軸受３，上梁２１等の各種部材の損傷を防ぐ機能を有する。ストッパー７は、係止梁２２の回転を止めることができれば、例えば軸受３と当接する位置に設けられていても良いが、軸受３に余剰の負荷を与えない様、アーム２とのみ当接する位置に設けられることが好ましい。また、ストッパー７は、必ずしも支持部材１の脚部１ａに螺着されることに限られず、例えばセルフロックスタンチョン２０の上梁２１に接着されていても良い。
【００３２】
アーム２は、図１及び図２に示される様に、係止梁２２の周面に突設されている。アーム２の長手方向の一端は幅広くされ屈曲されていて、当該屈曲部２ｂの略中央は、円弧状に凹まされ係止梁２２の周面に当接し易くされている。屈曲部２ｂにはＵボルト２ｃが螺着されていて、屈曲部２ｂとＵボルト２ｃで係止梁２２を挟持する様にして、アーム２は係止梁２２に固定されている。係止梁２２の半径方向に延出されたアーム２の他端には、作業者が挟持するためのハンドル２ｄが設けられている。
【００３３】
図１及び図２においては上記の様に構成したが、アーム２が係止梁２２の周面に突設されていれば必ずしもこれに限定されず、例えば、アーム２が係止梁２２と一体として作製されていても良い。アーム２の材質は、剛性を有する材質であれば良く、必ずしも鋼材に限定されない。
【００３４】
アーム２の中間部には、係止梁２２と略平行な回動軸２ａが立設され、回動軸２ａの支持部材１側の面には軸受３が回動自在に軸止されている。図１及び図２においては、回動軸２ａとして半螺子ボルトを用い、該半螺子ボルトとナットで軸受３の内輪を螺合固定して、アーム２に穿設された螺子穴に前記半螺子ボルトを螺着しているが、回動軸２ａ及び軸受３の取付構造は必ずしもこれに限定されない。例えば、アーム２に溶接された丸鋼を回動軸２ａとして用い、該回動軸２ａにプレス圧入して軸受３を取り付けても良い。
【００３５】
係止梁２２の、支持部材１とアーム２の間には、トーションスプリング８が巻装されている。トーションスプリング８の一端はアーム２の支持部材１側の面に立設された係止棒材２ｅに、他端は支持部材１のアーム２側の面に立設された係止棒材１ｄに夫々係止されていて、それによって、アーム２及び係止梁２２はセルフロックスタンチョン２０を解除する向きに回転付勢されている。
【００３６】
アーム２を回転付勢する部材は、必ずしもトーションスプリングに限られず、例えば、図１０に示される様に、アーム２と下梁２３との間に張設された引張りばね９であっても良い。図１０においては、屈曲部２ｂに、略半円状のスプロケット２ｆが立設され、スプロケット２ｆに噛合するチェーン９ａの一端がスプロケット２ｆに連結されている。チェーン９ａの垂下された他端には引張りばね９の上端が連結され、引張りばね９の下端には紐状物９ｂの上端が連結され、更に紐状物９ｂの下端は下梁２３に立設された係合板２３ａの穿孔に係合している。これによって、アーム２は、引張りばね９の張力によって回転付勢されている。
【００３７】
図１０においては上記の様に構成したが、引張りばね９は、アーム２を回転付勢できれば必ずしも下梁２３に連結されることに限られず、例えば、上梁２１に連結されていても良い。また、必ずしもスプロケット２ｆ，チェーン９ａ及び紐状物９ｂを設ける必要は無く、引張りばね９が直接アーム２及び下梁２３に連結されていても良い。また、引張りばね９は、必ずしも図１０に示されるコイルばねに限定されず、例えばゴムの如き弾性を有する各種部材で代用することもできる。
【００３８】
支持部材１の、ストッパー７が設けられた面とは逆の面には、円筒部材４ｂが、その外周面を当接する様にして、係止梁２２と略平行に設けられている。円筒部材４ｂには、係止部材４の一端部付近に立設された円柱状部４ｄが挿通されていて、円柱状部４ｄは、円筒部材４ｂから突出する端部が穿設されピン４ｃが挿通されて抜け止めされている。これにより、係止部材４は、円柱状部４ｄを揺動中心４ａとして、係止梁２２と略垂直な方向に揺動可能とされている。図１及び図２においては上記の様に構成したが、係止部材４は、係止梁２２と略垂直な方向に揺動可能であれば必ずしも上記の通りに構成されることに限られず、例えば、支持部材１に設けられた軸に軸受を介して取り付けられることにより、前記軸を揺動中心４ａとして揺動可能であっても良い。
【００３９】
係止部材４は鋼板で作製され、係止部材４の付勢側端部には略コ字状の係止凹部５が形成されている。係止部材４の上下方向の略中央部には、螺子穴が穿設されると共にナットが当接され、支持部材１側から挿通された半螺子ボルトが前記ナット及び螺子穴と螺合されている。前記半螺子ボルトの頭部と前記ナットの間に、引張りばね４ｇの一端が係止されている。引張りばね４ｇの他端は支持部材１に設けられたフック１ｅに係止されていて、これにより、係止部材４はアーム２と同じ向きに回転付勢されている。図１及び図２においては上記の様に構成したが、係止部材４がアーム２と同じ向きに回転付勢されていれば良く、回転付勢のための構造は、必ずしもこれに限定されない。係止部材４の材質は、剛性を有する材質であれば必ずしも鋼材に限定されず、また、係止部材４の形状を特に限定するものではない。
【００４０】
係止凹部５の、揺動中心４ａから遠い側の端部には、図７に示される様に、係止部材４の付勢側端から切り欠かれた直線状部５ｂと、直線状部５ｂに連なる円弧状部５ａが形成されている。円弧状部５ａの半径は軸受３の外径と略等しくされていて、軸受３を安定に係止可能である。そして、係止部材４を付勢に抗する向きに押圧すると、軸受３は、円弧状部５ａから外れ、直線状部５ｂに沿って転がる様にして容易に係止凹部５から外れる。図４乃至図７においては、係止凹部５を上記の様に形成したが、軸受３を係止可能であれば、係止凹部５の形状は必ずしも上記形状に限定されない。
【００４１】
また、係止凹部５の、揺動中心４ａから遠い側の端部に、揺動中心４ａ側への突出長さを調整可能な係止突起４ｅを設けても良い。係止突起４ｅの突出長さが調整可能であるから、軸受３との係止が解ける係止部材４の角度を調整することができ、これによって係止を解き易くし又は解き難くすることが可能である。例えば、本考案を長期間使用することによりトーションスプリング８の付勢力が減衰した場合、軸受３に係止部材４を安定に係止できなくなることが想定される。この場合、係止突起４ｅの突出長さを長くすると軸受３の意図しない脱落が防止されるから、係止部材４を軸受３に係止することが再度可能となり、本考案を継続して使用できる。図４乃至図７においては、アジャストボルト４ｆの先端を係止突起４ｅとし、アジャストボルト４ｆ頭部の回転によりその突出長さを調整可能としているが、係止突起４ｅの突出長さが調整可能であれば必ずしも上記構造に限定されない。
【００４２】
図４に示される様に軸受３に係止部材４を係止すると、係止凹部５との間の静止摩擦力によって軸受３の回動が阻害され、且つ係止部材４の揺動中心４ａが係止梁２２と異なる位置に配置されていることから、係止部材４は軸受３に係止し続ける。この状態で係止梁２２がロック角度を向く様に本考案を取り付けておくと、軸受３と係止部材４の係止によってアーム２及び係止梁２２の回転が阻害され、係止梁２２をロック角度に安定に止め続けることができる。そして、係止部材４を付勢力に抗して回転させると、軸受３と係止部材４との係止が解け、セルフロックスタンチョン２０が解除される。
【００４３】
レバー６は、係止部材４の揺動中心４ａとは逆の端部から延出されて設けられた棒材であって、当該レバー６を付勢力に抗して押圧すると、梃子の原理によって係止部材４は容易に揺動する。レバー６は、必ずしも図示される略Ｌ字形の形状に限られず、略直線的な形状とされていても良い。
【００４４】
支持部材１の上端付近には、合成樹脂製の制御ボックス１０が設けられ、内設された部材を保護している。制御ボックス１０の底部には、前後方向に長い摺動孔１０ａが穿設され、レバー６を自由に動かせる様にされている。制御ボックス１０の内部には、図８に示される様に、タイムスイッチ１１，電池１５，…，電動機１２，及びリミットスイッチ１４が設けられると共に、レバー６の先端付近が挿入されている。電動機１２の回転軸１２ａの外周には、複数のブレード１３，…が突設されている。図中には、２枚のブレード１３，１３を示すが、ブレード１３，…の数は、本考案の機能を発揮できれば特に限定されず、１枚であっても良く、又は３枚以上であっても良い。
【００４５】
本考案は、タイムスイッチ１１で設定された時間が経過すると電動機１２が始動し、且つリミットスイッチ１４がブレード１３で押圧されることにより電動機１２が停止する様に配線されている。これにより、セルフロックスタンチョン２０の解除に要する僅かな時間のみ電動機１２に通電されるから、消費電力を抑えることができる。タイムスイッチ１１の種類は特に限定されないが、交流電源を必要としない、電池式又はぜんまい式のタイムスイッチが好適に用いられる。
【００４６】
より好ましくは、本考案は、図９に示す様に配線される。タイムスイッチ１１は、ＮＣ端子（常閉端子），ＮＯ端子（常開端子）及びＣＯＭ端子（共通端子）を有していて、設定時間が経過すると、ＣＯＭ端子とＮＯ端子が接続された状態から、ＣＯＭ端子とＮＣ端子が接続された状態へと移行する。リミットスイッチ１４は、押圧されていない状態ではＣＯＭ端子とＮＣ端子が、押圧された状態ではＣＯＭ端子とＮＯ端子が接続されるスイッチであって、ブレード１３が一定の角度範囲にある場合にのみ押圧される位置に配置されている。そして、タイムスイッチ１１とリミットスイッチ１４の両ＮＣ端子同士が接続されると共に、タイムスイッチ１１とリミットスイッチ１４のＮＯ両端子同士が接続され、且つタイムスイッチ１１とリミットスイッチ１４の両ＣＯＭ端子間に電池１５，…及び電動機１２が配置されている。したがって、タイムスイッチ１１で設定した時間が経過する前は、リミットスイッチ１４が押圧されている間のみ回路が閉じられ、設定時間経過後は、逆にリミットスイッチ１４が押圧されない時のみ回路が閉じられる。
【００４７】
上記の様に配線された本考案の動作を、図４乃至図７に基づいて説明する。図４においては、係止梁２２はロック角度に向けられていて、リミットスイッチ１４はブレード１３で押圧されている。この状態でタイムスイッチ１１を作動させると、電動機１２が始動し、リミットスイッチ１４の押圧が解かれて電動機１２は停止する（図５）。その後、設定した時間が経過すると、電動機１２は再び始動し、レバー６を押圧する（図６）。該押圧によって軸受３と係止部材４の係止が解け、セルフロックスタンチョン２０は解除される（図７）。電動機１２は更に運転を続けるが、やがてブレード１３がリミットスイッチ１４を押圧し、それによって電動機１２は停止する。セルフロックスタンチョン２０を一旦解除した後に再度使用するためには、係止梁２２をロック角度に向け係止部材４を軸受３に係止して初期状態（図４）に戻すのみで良く、作業者がレバー６及びブレード１３，…の位置を調整する手間を要しない。
【００４８】
既述の通り、セルフロックスタンチョン２０を解除するためにレバー６を押圧する力は僅かで足りるから、市販の乾電池の如き電池１５，…を電動機１２の動力源として用いたとしても、本考案は充分に機能発揮する。電池１５，…を動力源として用いると、交流電流のための配線が不要であるから、交流電流が供給されていない場所でも本考案を使用でき、また家畜が配線を噛んでしまうことによる感電事故を防ぐこともできる。
【００４９】
尚、揺動仕切柱２４，…の上端に回動自在に設けられた係合板２５，…が係止梁２２に周設された係止ピン２６，…と係合することによって、揺動仕切柱２４，…がロックされる型のセルフロックスタンチョン（連動スタンチョン）２０を図示しつつ説明してきたが、本考案の実施に係るセルフロックスタンチョンの型をこれに限定するものではない。また、本考案は、連動スタンチョンの制御に特に有用ではあるが、これに用途限定するものではなく、家畜１頭のみの係留に用いられるセルフロックスタンチョンに用いることもできる。
【図面の簡単な説明】
【００５０】
【図１】本考案の実施形態を示す斜視図である。
【図２】本考案の実施形態を示す背面図である。
【図３】本考案をセルフロックスタンチョンに取り付けた状態を示す正面図である。
【図４】軸受を係止部材で係止した状態を示す要部側面図である。
【図５】リミットスイッチの押圧が解かれて電動機が停止した状態を示す要部側面図である。
【図６】ブレードがレバーを押圧している状態を示す要部側面図である。
【図７】スタンチョンが解除された直後の状態を示す要部側面図である。
【図８】本考案の実施形態に係る制御ボックスを開いた状態を示す正面図である。
【図９】本考案の実施形態を示す回路図である。
【図１０】本考案の別の実施形態を示す斜視図である。
【符号の説明】
【００５１】
１  支持部材
１ａ  脚部
１ｂ  嵌合部
１ｃ  貫通孔
１ｄ，２ｅ  係止棒材
１ｅ  フック
２  アーム
２ａ  回動軸
２ｂ  屈曲部
２ｃ  Ｕボルト
２ｄ  ハンドル
２ｆ  スプロケット
３  軸受
４  係止部材
４ａ  揺動中心
４ｂ  円筒部材
４ｃ  ピン
４ｄ  円柱状部
４ｅ  係止突起
４ｆ  アジャストボルト
４ｇ  引張りばね
５  係止凹部
５ａ  円弧状部
５ｂ  直線状部
６  レバー
７  ストッパー
８  トーションスプリング
９  引張りばね
９ａ  チェーン
９ｂ  紐状物
１０  制御ボックス
１０ａ  摺動孔
１１  タイムスイッチ
１２  電動機
１２ａ  回転軸
１３  ブレード
１４  リミットスイッチ
１５  電池
２０  セルフロックスタンチョン
２１  上梁
２２  係止梁
２３  下梁
２３ａ  係合板
２４  揺動仕切柱
２５  係合板
２６  係止ピン
【図１】
0003148926.tif 000003
【図２】
0003148926.tif 000004
【図３】
0003148926.tif 000005
【図４】
0003148926.tif 000006
【図５】
0003148926.tif 000007
【図６】
0003148926.tif 000008
【図７】
0003148926.tif 000009
【図８】
0003148926.tif 000010
【図９】
0003148926.tif 000011
【図１０】
0003148926.tif 000012